(57)【要約】      （修正有）【課題】印鑑を押印したときにキャラクターの音声が流れる印鑑ホルダーを提供する。【解決手段】印鑑ホルダー１は、キャラクターの形状を有していて縫製物で形成されたマスコット１０と、マスコットの第１開口部２１からマスコットの内部に延在していて印鑑を収納する印鑑収納袋２０と、押しボタンとして構成される押しボタン型筐体４１、キャラクターの音声を再生するスピーカ４３、押しボタン型筐体が押されたときにスピーカにキャラクターの音声を再生させるように構成された回路基板４２を有するモジュール４０と、マスコットの第２開口部からマスコットの内部に延在するモジュール収納袋３０と、を備え、押しボタン型筐体４１が、印鑑収納袋に収納された印鑑に当接するようにモジュール収納袋の内部で位置付けられ、印鑑を押印したときに印鑑の後部により押しボタン型筐体が押される。【選択図】図５
0003205842.tif 000002
【実用新案登録請求の範囲】
【請求項１】
キャラクターの形状を有していて縫製物で形成されたマスコットと、
前記マスコットの底部に設けた第１開口部から前記マスコットの内部に延在していて印鑑を収納する印鑑収納袋と、
押しボタンとして構成される押しボタン型筐体、前記キャラクターの音声を再生するスピーカ、及び前記押しボタン型筐体が押されたときに前記スピーカに前記キャラクターの音声を再生させるように構成された回路基板を有するモジュールと、
前記マスコットの頭部に設けた第２開口部から前記マスコットの内部に延在していて前記モジュールを収納するモジュール収納袋と、を備え、
前記押しボタン型筐体が、前記印鑑収納袋に収納された印鑑の後部に当接するように前記モジュール収納袋の内部で位置付けられ、印鑑を押印したときに印鑑の後部により前記押しボタン型筐体が押されることを特徴とする印鑑ホルダー。
【請求項２】
前記スピーカが、前記キャラクターの口元に配置される、請求項１に記載の印鑑ホルダー。
【請求項３】
前記回路基板が、前記キャラクターの音声を複数記憶する記憶部、及び記憶された前記キャラクターの音声をスピーカにランダムに再生させる制御部と、を更に有する、請求項１に記載の印鑑ホルダー。
【請求項４】
前記第１開口部の周囲にゴムを更に有しており、前記第１開口部のサイズが前記印鑑のサイズより小さい、請求項１に記載の印鑑ホルダー。
【請求項５】
前記第２開口部の周囲に面ファスナー部分及び該面ファスナー部分に被せる被せ部分を更に有する、請求項１に記載の印鑑ホルダー。
【請求項６】
前記モジュール収納袋が奥行方向にテーパ状にすぼまっている、請求項１に記載の印鑑ホルダー。
【請求項７】
前記キャラクターの形状が卵型であり、前記面ファスナー部分及び前記被せ部分の上部が前記卵型のキャラクターの形状に沿うように、斜めにカットされている、請求項１に記載の印鑑ホルダー。
【考案の詳細な説明】
【技術分野】
【０００１】
本考案は、印鑑ホルダーに関する。
【背景技術】
【０００２】
従来、外部から観察できるように少なくとも一部を透明にした立体部材の中に、流動性パラフィン又はプロピレングリコールの何れかと複数個の発砲ビーズとを入れた装飾性立体部材を印鑑ホルダーに応用したものが、例えば特許文献１に開示されている。
【先行技術文献】
【特許文献】
【０００３】
【特許文献１】特開２００８−２３２９７号公報
【考案の概要】
【考案が解決しようとする課題】
【０００４】
しかしながら、印鑑を押印したときにキャラクターの音声が流れる、縫製物で形成されたマスコットタイプの印鑑ホルダーは見当たらなかった。
【課題を解決するための手段】
【０００５】
本考案の第１の態様は、キャラクターの形状を有していて縫製物で形成されたマスコットと、マスコットの底部に設けた第１開口部からマスコットの内部に延在していて印鑑を収納する印鑑収納袋と、押しボタンとして構成される押しボタン型筐体、キャラクターの音声を再生するスピーカ、及び押しボタン型筐体が押されたときにスピーカにキャラクターの音声を再生させるように構成された回路基板を有するモジュールと、マスコットの頭部に設けた第２開口部からマスコットの内部に延在していてモジュールを収納するモジュール収納袋と、を備え、押しボタン型筐体が、印鑑収納袋に収納された印鑑の後部に当接するようにモジュール収納袋の内部で位置付けられ、印鑑を押印したときに印鑑の後部により押しボタン型筐体が押される、印鑑ホルダーを提供する。
本考案の第２の態様は、第１の態様において、スピーカが、キャラクターの口元に配置される、印鑑ホルダーを提供する。
本考案の第３の態様は、第１の態様において、回路基板が、キャラクターの音声を複数記憶する記憶部、及び記憶されたキャラクターの音声をスピーカにランダムに再生させる制御部と、を更に有する、印鑑ホルダーを提供する。
本考案の第４の態様は、第１の態様において、第１開口部の周囲にゴムを更に有しており、第１開口部のサイズが印鑑のサイズより小さい、印鑑ホルダーを提供する。
本考案の第５の態様は、第１の態様において、第２開口部の周囲に面ファスナー部分及び該面ファスナー部分に被せる被せ部分を更に有する、印鑑ホルダーを提供する。
本考案の第６の態様は、第１の態様において、モジュール収納袋が奥行方向にテーパ状にすぼまっている、印鑑ホルダーを提供する。
本考案の第７の態様は、第１の態様において、キャラクターの形状が卵型であり、面ファスナー部分及び被せ部分の上部が卵型のキャラクターの形状に沿うように、斜めにカットされている、印鑑ホルダーを提供する。
【考案の効果】
【０００６】
本考案に係る印鑑ホルダーによれば、印鑑を押印したときにキャラクターの音声が流れる、縫製物で形成されたマスコットタイプの印鑑ホルダーを提供できる。
【図面の簡単な説明】
【０００７】
【図１】本考案の一実施形態における印鑑ホルダーの正面図である。
【図２】本考案の一実施形態における印鑑ホルダーの側面図であり、モジュール収納袋を外出させた状態を示す図である。
【図３】本考案の一実施形態における印鑑ホルダーの背面図である。
【図４】本考案の一実施形態における印鑑ホルダーの背面図であり、第２開口部を開口した状態を示す図である。
【図５】本考案の一実施形態における印鑑ホルダーの図２のＶ−Ｖ線に沿った断面図である。
【図６】本考案の一実施形態における印鑑ホルダーの底面図である。
【図７】本考案の一実施形態における印鑑ホルダーの使用状態を示す図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１及び図２は、それぞれ本実施形態における印鑑ホルダーの正面図及び側面図であり、図３は、本実施形態における印鑑ホルダーの背面図であり、図４は、本実施形態における印鑑ホルダーの背面図であって、第２開口部を開口した状態を示す図であり、図５は、本実施形態における印鑑ホルダーの図２のＶ−Ｖ線に沿った断面図であり、図６は、本実施形態における印鑑ホルダーの底面図である。図５から分かるように、印鑑ホルダー１は、マスコット１０と、印鑑収納袋２０と、モジュール収納袋３０と、モジュール４０と、を有する。
【００１０】
図１に示すように、マスコット１０は、概ね卵型のキャラクターの形状を有していて中綿入り布等（縫製物）で形成される。図５及び図６に示すように、マスコット１０の底部には、第１開口部２１が設けられており、第１開口部２１からマスコット１０の内部に向かって印鑑収納袋２０が延在している。第１開口部２１の周囲には、ゴム２２が設けられており、第１開口部２１のサイズが印鑑のサイズより小さく形成されている。これにより、印鑑収納袋２０に印鑑を収納したときに、印鑑が印鑑ホルダー１から落下しないようにしている。
【００１１】
図４に示すように、マスコット１０の後頭部には、第２開口部３１が設けられており、第２開口部３１からマスコット１０の内部に向かってモジュール収納袋３０が延在している。図２に示すように、モジュール収納袋３０の上部は斜めにカットされており、縦断面で台形を呈している。換言すれば、モジュール収納袋３０は奥行方向にテーパ状にすぼまっているため、モジュール収納袋３０に収納したモジュール４０がマスコット１０の内部で動かず、印鑑に当接し易くなっている。図４に示すように、第２開口部３１の周囲には、面ファスナー部分３２と、面ファスナー部分３２に被せる被せ部分３３とが設けられていて、モジュール４０を取出して電池交換を容易に行えるようになっている。また、面ファスナー部分３２及び被せ部分３３は、マスコット１０の外側に設けられているので、マスコット１０の内側で貼り合わせるよりも強度が増して、マスコット１０からモジュール４０が出にくくなっている。図３に示すように、面ファスナー部分３２及び被せ部分３３の上部は、卵型のキャラクターの形状に沿うように、斜めにカットされている。
【００１２】
図５に示すように、モジュール４０は、押しボタン型筐体４１と、回路基板４２と、回路基板に接続するスピーカ４３と、ボタン電池４４と、主電源スイッチ４５（図４参照）と、を有する。押しボタン型筐体４１は、ばね４５により付勢された第１筐体４１ａ及び第２筐体４１ｂを有していて押しボタンとして構成される。そして、押しボタン型筐体４１は、印鑑収納袋２０に収納されたときに印鑑の後部に当接するように位置付けられる。印鑑が押印されると、印鑑の後部に当接した第２筐体４１ｂが上方（図５のＡ方向）に付勢され、ばね４５を介して回路基板４２に設けられた、図示しないスイッチが投入される。スイッチが投入されると、回路基板４２は、キャラクターの音声をスピーカ４３に再生させる。回路基板４２は、図示しないものの、マイクロコンピュータを有しており、マイクロコンピュータは、キャラクターの音声を複数記憶する記憶部と、記憶したキャラクターの音声をランダムにスピーカ４３に再生させる制御部と、を有する。スピーカ４３は、キャラクターの口元に配置されているため、あたかもキャラクターが喋っているかのように見える。ボタン電池４４は、回路基板４２に電源を供給する。主電源スイッチ４５は、ボタン電池４４の電源供給のオンオフを切り替える。主電源スイッチ４５をオフにすることにより、印鑑ホルダー１を使用しないときのボタン電池４４の消費を抑えることができる。
【００１３】
図７は、本実施形態における印鑑ホルダーの使用状態を示す図である。印鑑ホルダー１に印鑑２を収納し、上から押して印鑑２を押印すると、印鑑２が印鑑ホルダー１の内部の押しボタン型筐体を押圧して回路基板を作動させる。回路基板は、例えば記憶部に記憶されたキャラクターの音声「ハイハイ。」をスピーカに再生させる。
【００１４】
ここで、本考案の作用効果について説明する。本考案に係る印鑑ホルダーによれば、印鑑を押印したときにキャラクターの音声が流れる印鑑ホルダーを提供できる。
【００１５】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００１６】
１    印鑑ホルダー
１０    マスコット
２０    印鑑収納袋
２１    第１開口部
３０    モジュール収納袋
３１    第２開口部
４０    モジュール
４１    押しボタン型筐体
４２    回路基板
４３    スピーカ
【図１】
0003205842.tif 000003
【図２】
0003205842.tif 000004
【図３】
0003205842.tif 000005
【図４】
0003205842.tif 000006
【図５】
0003205842.tif 000007
【図６】
0003205842.tif 000008
【図７】
0003205842.tif 000009